Podtech/llm-jp-corpus-v4-ja_patent huggingface dataset:
(57)【要約】      （修正有）【課題】吸着式冷凍機は体格が大きくなる事が欠点と言われているが、逆に吸湿材を大量に使用する事で潜熱蓄熱（蓄湿）として積極的に利用し、氷に代わる蓄熱媒体として利用する。【解決手段】蓄湿に関しては建物の構造体の一部を利用する考え方はあったものの、定量機械的に氷等の融解熱ではなく、気化熱の蓄熱という考え方はなかった。従来のローター型デシカント空調器と比較した時、吸湿材が厚い層を成す事になるので、その層内部に熱交換パイプを通すだけで、再生時に「汚れたエンジンの廃ガス」などをそのまま利用できる事になる。また、吸湿時はその熱交換パイプに外気や還気を流す事で等温除湿が可能となる。【選択図】  図２
2007085713.tif 000002
【特許請求の範囲】
【請求項１】
除湿材に熱を加えて、蒸発潜熱を蓄えてコンパクトな蓄熱体とすること。
【請求項２】
除湿材の中に顕熱交換器を埋込む事によって、等温除湿を行う事に加えて再生時に有害高温ガスの廃熱利用が可能なようにしたこと。
【発明の詳細な説明】
【技術分野】
【０００１】通常デシカント空調器と呼ばれる除湿型空調器をローター回転型でなく、除湿材を蓄えて使用するものである。
【背景技術】
【０００２】従来は、氷や水を使って蓄熱するものはあったが、気化熱を蓄熱するという考えはなかった。
【発明の開示】
【発明が解決しようとする課題】
【０００３】▲１▼比較的厚い吸湿材の層の再生時、及び吸湿時の熱交換を合理的にする。
▲２▼蓄熱槽として機能させる。
【課題を解決するための手段】
【０００４】  吸湿材［図２］１０の中に顕熱交換器［図２］１３を埋込み、接触させる事により冷却用流体［図２］８を流しながら、熱交換用ファン［図２］９により未処理空気［図２］３を処理する。
通常の吸湿は［図１］１のように等エンタルピ線に沿って除湿を行うが、本発明では［図１］２のように等湿除湿が可能となる。
再生時は［図２］５の高温空気を［図２］ファン９で処理する際に、顕熱交換器１３に別の高湿流体１７（例えばエンジン廃ガス等）を、切替弁１２を開けて流す事により再生を行う。
【発明の効果】
【０００５】  吸湿材に、例えば深夜電力等で再生しておき昼間に利用することが可能である。
従来のローター型デシカント空調器等と比較した時、構造が単独であり、［図２］顕熱交換器１３の存在により、有害高温ガス等の利用が可能となる。
【実施例１】
【０００６】
【図面の簡単な説明】
【０００７】
【図１】  本発明を空気線図上の概念で表現したものである。
【図２】  本発明の実際の構造と空気の流れを模式化したものである。
【符号の説明】
【０００８】  １  通常の吸湿発熱（等エンタルピ）
２  等温除湿
３  未処理空気
４  処理空気
５  再生用高温空気
６  再生済み空気
７  高温流体
８  冷却用流体
９  熱交換用ファン
１０  吸湿材
１１  切替弁
１２  切替弁
１３  顕熱交換器
１４  送風機
【図１】
2007085713.tif 000003
【図２】
2007085713.tif 000004
(57)【要約】      （修正有）【課題】大量の温水、冷水をつくるには、大容量の加熱装置、大容量の冷却装置が必要である。温水タンク、冷水タンクに直接温水、冷水を大量に長時間溜めていると、雑菌等が発生し、不衛生で、危険である。一般家庭のキッチンで温水、冷水が欲しい。【解決手段】ポリエチレングリコール系の蓄熱剤を使用する事によって、タンクの温水、冷水量の約３５〜４０倍を、蓄える事が出きる、小型で大容量の蓄熱型、温水器、冷水器である。蓄熱剤と熱交換器を、使用する事によって、必要なときに、必要量の温水、冷水を作りだす事ができる。従って、温水、冷水をタンクに、溜めていない為、雑菌等の発生は極めて少ない。【選択図】  図３
2007085717.tif 000002
【特許請求の範囲】
【請求項１】
（イ）家庭用電気冷蔵庫の、排熱を加熱源に、冷却後の予熱を冷却源として、温水と冷水を作り出す。
排熱と、冷却後の予熱を利用して温水、冷水を作る為に、省エネルギーの、温水、冷水製造装置付冷蔵庫である。
【請求項２】
（イ）温水タンク、冷水タンクに凝固点の異なる、ポリエチレングリコール系の蓄熱剤を使用する事により、小さい温水タンク、冷水タンクの容量を３５〜４０倍として使用する。
・本蓄熱剤は、含有物の比率を変える事により、凝固点の温度を自由（−５℃〜＋６５℃の範囲）に変える事が出来る。
2007085717.tif 000003
となり、比率を変える事により、温水、冷水共、ポリエチレングリコール系の凝固熱を利用する事により、容量が３５〜４０倍の大きい蓄熱タンクとして使用する事が出来る。
【発明の詳細な説明】
【発明の詳細な説明】
家庭用電気冷蔵庫の、排熱を加熱源に、冷却後の予熱を冷却源として温水と、冷水を作り出す簡易型の温水、冷水発生装置である。
ただ電気冷蔵庫を熱源としているので、排熱、予熱共、一瞬には、大量の熱放出が出来ない為、蓄熱タンクを作り、使用時に、一騎に大量の温水、冷水を作りだす。
本発明の最大の特徴は、蓄熱水槽タンクと、ポリエチレングリコール系の蓄熱剤を組み合わせ、大量の温水、冷水を一騎に作り出す所に、最大の特徴がある。
【図面の簡単な説明】
【図１】家庭用電気冷蔵庫の平面図
【図２】家庭用電気冷蔵庫の正面図
【図３】家庭用電気冷蔵庫の配管系統図
【符号の説明】
１：電気冷蔵庫本体
２：冷却器−−冷蔵庫内を冷やす為の、冷媒と空気、の熱交換器
３：キャピラリーチューブ−−冷媒を減圧、気化する。
４：ドライヤ−−冷凍サイクル内の、水分、埃等を除去する。
５：ウオールコンデンサ−−高温、高圧のガス冷媒を、高温、高圧の液冷媒にする。
６：冷凍サイクル吐出管−−温水タンクを加熱する。
７：温水熱交換器−−温水蓄熱剤と水用の熱交換器
８：温水蓄熱剤−−＋４５℃〜＋６５℃に調整された蓄熱剤
９：温水蛇口−−温水の取り出し口
１０：冷凍サイクル冷却管−−冷水タンクを冷却する。
１１：冷水熱交換器−−冷水蓄熱剤と水の熱交換器
１２：冷水蓄熱剤−−  −５℃〜＋１５℃に調整された蓄熱剤
１３：冷水蛇口−−冷水の取り出し口
１４：圧縮機−−冷媒ガスを高温、高圧にする。
１５：給水口−−一般水道水の接続口
【図１】
2007085717.tif 000004
【図２】
2007085717.tif 000005
【図３】
2007085717.tif 000006
(57)【要約】【課題】エレベーターマイコンプログラム管理システムにおいて、常時最新のプログラムデータを管理することができるエレベーターマイコンプログラム管理方法を提供する。【解決手段】エレベーター制御装置５に接続した遠隔監視装置６によりエレベーターマイコンプログラムが変更されたことを即時に検出し、遠隔監視装置６よりエレベーターマイコンプログラム管理システム２に変更を通知することによって、エレベーターマイコンプログラム管理システム２からマイコンプログラムの変更データを収集する構成とした。【選択図】図１
2007055701.tif 000002
【特許請求の範囲】
【請求項１】
エレベーターの運転制御を行うマイコン基板と、前記マイコン基板上のマイコンプログラムを保存・提供するエレベーターマイコンプログラム管理システムと、通信回線と接続されエレベーターの監視情報を監視センターと送受信する遠隔監視装置において、前記エレベーターマイコン基板上のプログラムが変更されたことを前記遠隔監視装置にて検出し、通信回線を介して自動的に前記エレベーターマイコンプログラム管理システムに変更内容を登録することを特徴とするエレベーターマイコンプログラム管理方法。
【発明の詳細な説明】
【技術分野】
【０００１】
本発明はエレベーターマイコンプログラムの管理方法に関する。
【背景技術】
【０００２】
エレベーターマイコン基板故障時の基板交換作業に正常稼動時の状態に早期復旧するため、正常稼動時のマイコンプログラムをあらかじめ登録・保存しておき、復旧時にマイコンプログラムを提供するエレベーターマイコンプログラムにおいて、エレベーターマイコンプログラムのシステムへの登録方法としては、通信回線を介してエレベーターマイコンプログラム内の現地での調整データを収集して管理する方法がある（特許文献１参照）。
【特許文献１】特開平１０−２３１０６９号公報
【発明の開示】
【発明が解決しようとする課題】
【０００３】
しかしながら、前記従来技術においてはデータ収集時期に関する考慮が十分でなく、収集遅れによって最新データを管理できないという問題点があった。
【０００４】
本発明はこのような従来技術の課題に鑑みなされたもので、エレベーター用遠隔監視装置を利用し、遠隔監視装置によりエレベーターマイコンプログラム内の現地調整データ部の変更を検出し、その時点で通信回線を介して最新のエレベーターマイコンプログラムを収集することを特徴としたエレベーターマイコンプログラム管理方法を提供することにある。
【課題を解決するための手段】
【０００５】
上記問題点を解決するために、請求項１の発明に係るエレベーターマイコンプログラムの管理方法は、通信回線と接続されエレベーターの遠隔監視装置と、遠隔監視装置に接続される携帯端末において、前記携帯端末より前記遠隔監視装置に立上げ業務開始指示操作により前記監視センターに発信し、前記監視センターではナンバーディスプレイ機能を使用して着信したときの電話番号から立上げ対象の遠隔監視装置の監視情報を抽出するようにした。
【発明の効果】
【０００６】
請求項１の発明によれば、エレベーターマイコンプログラムが現地にて変更された時点でエレベーターマイコンプログラム管理システムに収集されるため常に最新のデータを管理することができる。
【発明を実施するための最良の形態】
【０００７】
以下、本発明を実施するための最良の形態を図に基づいて説明する。図１及び図２は、本発明の一実施形態を示している。
【０００８】
ただし、図１は本発明の一実施形態を示すエレベーターマイコンプログラム管理システムの構成図、図２は本発明の一実施形態を示すエレベーターマイコンプログラム管理方法のフローチャートである。
【０００９】
まず、図１を参照して本実施形態に係るエレベーターマイコンプログラム管理システムの基本的な構成を説明する。図１において、１は監視センター、２はエレベーターマイコンプログラム管理システム、３は公衆回線網、４はエレベーターが納入されたビル、５はエレベーターかごを運転させるエレベーター制御装置、６はエレベーター制御装置５と接続されエレベーターの状態を監視する遠隔監視装置である。
【００１０】
以下、図１及び図２に併用して、本発明における実施形態を説明する。
【００１１】
エレベーターの点検、仕様変更などによりエレベーター制御装置５のマイコンプログラムの変更作業を実施する。この際遠隔監視装置６において、あらかじめ記憶しておいたエレベーター制御装置５のマイコンプログラムと現在のマイコンプログラムを比較し、変更されたことを検出する。これにおいて即時に公衆回線網３を介して監視センター１に対してマイコンプログラムが変更されたことを通知する。通知を受けた監視センター１内のマイコンプログラム管理システム２は遠隔監視装置６に対してマイコンプログラムの変更データの収集を行う。
【００１２】
このようにして、本発明における実施形態のエレベーターマイコンプログラム管理方法によれば、遠隔監視装置によりエレベーターマイコンプログラムの変更を即時に検出し、マイコンプログラム管理システムにて収集することにより、常に最新のエレベーターマイコンプログラムを管理することができる。
【図面の簡単な説明】
【００１３】
【図１】本発明の一実施形態を示すエレベーターマイコンプログラム管理システムの構成図
【図２】本発明の一実施形態を示すエレベーターマイコンプログラム管理方法のフローチャート
【符号の説明】
【００１４】
１  監視センター
２  マイコンプログラム管理システム
３  公衆回線網
４  ビル
５  エレベーター制御装置
６  エレベーター遠隔監視装置
【図１】
2007055701.tif 000003
【図２】
2007055701.tif 000004
(57)【要約】【課題】ローラーコンベアのローラーを効率的に清掃するためのスクレーパーを提供する。【解決手段】スクレーパー１００は、ローラーの形状に適合する略円弧形状の接触面１１２を有するスクレープ部材１１０と、スクレープ部材１１０の接触面１１２の反対側の面１１４から接触面１１２に対して斜めの方向に延びた把手１２０とを備える。【選択図】図３
2007055741.tif 000002
【特許請求の範囲】
【請求項１】
ローラーコンベアのローラーに固着した汚れを除去するためのスクレーパーであって、
ローラーの形状に適合する略円弧形状の接触面を有するスクレープ部材と、
前記スクレープ部材の前記接触面の反対側の面から前記接触面に対して斜めの方向に延びた把手と、
を備えることを特徴とするスクレーパー。
【請求項２】
前記スクレープ部材の肉厚は、中央部から円周方向の端部に向かって薄くなっていることを特徴とする請求項１に記載のスクレーパー。
【発明の詳細な説明】
【技術分野】
【０００１】
本発明は、ローラーコンベアのローラーに固着した汚れを除去するためのスクレーパーに関する。
【背景技術】
【０００２】
機械要素等の物品に固着した固着物を除去するためにスクレーパーが使用される。汎用のスクレーパーとして、図１に例示的に示すように平板状のスクレープ部材２を有するものが知られている。
【特許文献１】実公平７−１２３３５号公報
【発明の開示】
【発明が解決しようとする課題】
【０００３】
図２は、ローラーコンベアの一例の概略構成を示す斜視図である。ローラーコンベア２０は、平行に配置された複数のローラー２２を支持フレーム２４によって回動可能に軸支した構成を有する。ローラーコンベア２０は、例えば、函、ケース等の各種の物品を搬送するために使用されうる。長時間の使用によって、ローラー２０の表面には、搬送対象の物品との摩擦などによって汚れが固着する。この汚れは、例えば、搬送対象の物品が摩擦によって削られたものであったり、搬送対象に付着していた汚れであったり、ローラーに落下した異物であったりしうる。
【０００４】
ローラー２０の表面に固く固着した汚れを除去するために、前述のようなスクレーパーが使用されうる。しかしながら、図１に示すような平板状のスクレープ部材２を有するスクレーパー１０によって円柱形状のローラー２０の表面を清掃することは容易ではない。平板状のスクレープ部材２は、ローラー２０の表面のほんの一部にしか接触しないため、ローラー２０の全周を清掃しようとすると、ローラー２０を何度も回動させながらスクレーパー１０で汚れを掻き取る必要がある。しかも、平板状のスクレープ部材２をローラー２０の表面に押し当てると、ローラー２０に対して局所的に強い力が加わり、ローラー２０に傷が生じることもある。
【０００５】
本発明は、上記の不具合に鑑みてなされたものであり、例えば、ローラーコンベアのローラーを効率的に清掃するためのスクレーパーを提供することを目的とする。
【課題を解決するための手段】
【０００６】
本発明のスクレーパーは、ローラーコンベアのローラーに固着した汚れを除去するためのスクレーパーに関するもので、ローラーの形状に適合する略円弧形状の接触面を有するスクレープ部材と、前記スクレープ部材の前記接触面の反対側の面から前記接触面に対して斜めの方向に延びた把手とを備えることを特徴とする。
【０００７】
本発明の好適な実施形態によれば、前記スクレープ部材の肉厚は、中央部から円周方向の端部に向かって薄くなっていることが好ましい。
【発明の効果】
【０００８】
本発明によれば、例えば、ローラーコンベアのローラーを効率的に清掃することができる。
【発明を実施するための最良の形態】
【０００９】
以下、添付図面を参照しながら本発明の好適な実施形態を説明する。
【００１０】
図３は、本発明の好適な実施形態のスクレーパーの構成を概略的に示す斜視図である。本発明の好適な実施形態のスクレーパー１００は、図２に例示的に示すようなローラーコンベア２０のローラー２２に固着した汚れを除去するために好適である。
【００１１】
スクレーパー１００は、ローラーコンベア２０のローラー２２の形状（円柱形状）に適合する略円弧形状の接触面１１２を有するスクレープ部材１１０と、スクレープ部材１１０の接触面１１２の反対側の面（以下、裏面）１１４から接触面１１２に対して斜めの方向に延びた把手（ハンドル）１２０とを備えている。
【００１２】
スクレープ部材１１０の接触面１１２を略円弧形状にすることにより、接触面１１２がローラー２２の表面に対して面接触するので、効率的にローラー２２の表面の汚れを除去することができる。また、このような面接触によれば、ローラー２２に局所的に力が加わらないため、ローラー２２が傷等の損傷を受けることを防止することができる。
【００１３】
また、把手１２０をスクレープ部材１１０の裏面１１４から接触面１１２に対して斜めの方向に延びるように構成することにより、スクレープ部材１１０を適正な力でローラー２２に押し付けながらスクレープ部材１１０をローラー２２の軸方向に移動させることが容易になる。一方、把手１２０をスクレープ部材１１０の裏面１１４から接触面１１２に対して直角方向に延びた構成では、スクレープ部材１１０をローラー２２の軸方向に移動させる際にいわゆる”かじり”が生じやすく作業性が悪い。
【００１４】
スクレープ部材１１０の肉厚ｔは、中央部１１０ｃから円周方向の端部１１０ｅに向かって薄くなっていることが好ましい。この場合、図４（ａ）、（ｂ）に示すように、スクレープ部材１１０をローラー２２の中心方向Ａに押し付けることにより、スクレープ部材１１０の端部１１０ｅ側が変形して、スクレープ部材１１０の接触面１１２の略全面をローラー２２の表面に容易に面接触させることができる。また、このような構成によれば、スクレープ部材１１０の端部１１０ｅ側（周辺部）においても比較的に強い力でスクレープ部材１１０がローラー２２に押し付けられるので、スクレープ部材１１０の略全面が略均一な力でローラー２２に押し付けられる。一方、スクレープ部材の肉厚が一様であってスクレープ部材の端部が変形しにくい構造では、スクレープ部材の中央部では強い力でスクレープ部材がローラーに押し付けられが、端部側（周辺部）では押し圧が弱くなり、作業効率が低下しうる。
【図面の簡単な説明】
【００１５】
【図１】汎用のスクレーパーの一例を示す図である。
【図２】ローラーコンベアの一例の概略構成を示す斜視図である。
【図３】本発明の好適な実施形態のスクレーパーの構成を概略的に示す斜視図である。
【図４】本発明の好適な実施形態のスクレーパーの構造とその作用を例示的に説明する図である。
【符号の説明】
【００１６】
２  スクレープ部材
１０  スクレーパー
２０  ローラーコンベア
２２  ローラー
２４  支持フレーム
１１０  スクレープ部材
１１０ｅ  スクレープ部材の端部
１１０ｃ  スクレープ部材の中央部
１１２  接触面
１１４  接触面の反対側の面
１２０  把手（ハンドル）
【図１】
2007055741.tif 000003
【図２】
2007055741.tif 000004
【図３】
2007055741.tif 000005
【図４】
2007055741.tif 000006
(57)【要約】【課題】  従来の飲料水用缶容器は、缶上部蓋が平面的であり、大変飲みづらいものであった。なぜならば鼻がどうしても缶上部蓋に付いてしまっていた。又、缶容器の飲物を最後まで飲もうとすると、首や体を後方に、必要以上に傾けなければならず飲みにく、飲んでいる姿勢も美しく見えなかった。この他にも従来の形では飲みにくいため、わざわざ別の容器などに移しかえていた。又、鼻が缶上部蓋に付くなど衛生的でなかった。それに缶上部蓋が平なため鼻から飲物の香りを感じにくい形であった。【解決手段】  飲料水用缶容器１の缶上部蓋２の中心部分をなだらかに凹ませた形の飲み口３にステイオンタブ４を設ける事を特徴とする。【選択図】    図１
2007055682.tif 000002
【特許請求の範囲】
【請求項１】
飲料水用缶容器１の缶上部蓋２に、飲み口３の部分を凹ませ、ステイオンタブ４を付けた飲料水用缶容器。
【発明の詳細な説明】
【技術分野】
【０００１】本発明は、缶の上部蓋の形を生かして、飲料水を飲みやすくした飲料水用缶容器に関するものである。
【背景技術】
【０００２】  従来より、飲料水の缶容器には、上部蓋が平面的なもの、あるい特開平１０−２７３１２７号公報に示されているように缶の部分を前後に斜めに傾けさせたものがある。
【発明の開示】
【発明が解決しようとする課題】
【０００３】これらの缶容器には次のような欠点があった。
（イ）飲物を飲むときに、缶の上部蓋に鼻が付きやすかった。
（ロ）飲物の残量が、少なくなるに従い、首や体を後方に必要以上に傾けなければならず、飲みにくかった。
（ハ）缶の上部蓋に鼻が付かないように意識して飲むために、飲んでいる姿勢が美しく見えない。
（ニ）特開平１０−２７３１２７号に示されているような蓋では、デザイン的にすぐれていない。
（ホ）特開平１０−２７３１２７号の出願では、飲物を飲む時に鼻が缶の蓋の前方に付いてしまう。
（ヘ）今までの飲料水用缶容器では、形のデザインよりも文字や、色など缶表面に印刷されたデザインばかりにとらわれていて、缶蓋の形に工夫が見られなった。
（ト）従来の飲料水用缶容器には、直接缶に口を付けて飲んでみたい魅力的な形のものはなかった。
本発明は、これらの欠点をなくすためになされたものである。
【課題を解決するため手段】
【０００４】  飲料水用缶容器１の缶上部蓋２に、飲み口３の鼻が付く部分を凹ませ、ステイオンタブ４を設けた。
以上のような構成によりなる飲料水を飲みやすくした飲料水用缶容器である。
【発明を実施するための最良の形態】
【０００５】（イ）飲料水用缶容器１の缶上部蓋２に飲み口３を設ける。
（ロ）飲み口３は缶上部蓋２の面よりなだらかな凹みを設けてある。
（ハ）ステイオンタブ４は飲み口３の中に設ける。
（ニ）缶上部蓋２を凹ませ、少なくなった缶内部の容量は、缶の形状を工夫して補う。
本発明は以上のような構造で、これを使用するときは飲料水用缶容器１の缶上部蓋２に付いているステイオンタブ４を引き上げることにより、缶を開くことが出来、鼻が缶蓋の飲み口３に触る事なく飲むことが出来る。
【発明の効果】
【０００６】これには次のような効果がある。
（イ）鼻が缶上部蓋に付くことなく飲みやすくなった。
（ロ）鼻が飲み口に付かないため衛生的である。
（ハ）夏など缶の上部蓋に水滴が付いた時に女性の鼻先の化粧が取れずらい。
（ニ）鼻の位置が缶の上部蓋の位置より下がるため、飲物の香りを感じやすい。
（ホ）直接缶に口を付けて飲みやすくなったため、グラスなどに飲物を注ぐことなく、洗い物が省け経済的である。
（ヘ）飲物が飲みやすくなったため、自然な姿勢で飲めるようになった。
（ト）飲みやすそうな形状で飲んでみたくなった。
（チ）飲みやすくなった事で、飲む量が増えた。
【図面の簡単な説明】
【０００７】
【図１】  本考案の斜め正面の斜視図である。
【図２】  本考案の上から見た平面図である。
【図３】  本考案の容器の図２におけるＡ−Ａ線に沿う縦断面図である。
【図４】  本考案の容器の図２におけるＢ−Ｂ線に沿う縦断面図である。
【符号の説明】
【０００８】１  飲料水用缶容器
２  缶上部蓋
３  飲み口
４  ステイオンタブ
【図１】
2007055682.tif 000003
【図２】
2007055682.tif 000004
【図３】
2007055682.tif 000005
【図４】
2007055682.tif 000006
(57)【要約】      （修正有）【課題】包装用袋に入れる商品によっては傾いたり倒れたりし、食べる際不愉快になることがあり、これらのことを防止し使いやすく便利に使用出来る様に工夫した包装用袋を提供する。【解決手段】本体包装用袋（１）自体の面状に複数のスリツト状面（１ａ）を任意な形状で自在な位置に適度な間隔と幅で設けて、その部分を留め部分（１ｂ）として使用する事で、コスト面で従来と同じ価額で提供する事が可能とした、この構造と機能をもたせた事により、従来の不便さや不快感も解決をしより使い勝手の良い便利な本体包装用袋（１）を提供する事が出来た。【選択図】図３
2007055680.tif 000002
【特許請求の範囲】
【請求項１】
本体包装用袋（１）の面状に複数個のスリツト状面（１ａ）を任意な形状で自在な位置に設けて、留め部分（１ｂ）として使用し、その留め部分（１ｂ）は本体包装用袋（１）と接着部（１ｃ）を適度な幅と間隔で設けられて、一体構造とした包装用穂袋である。
【請求項２】
本体包装用袋（１）上部面に複数個の留め部分（１ｄ）を設けて、かつ両サイド側面部面状に必要に応じて留め部分（１ｆ）を設けた、請求項１、記載の包装用袋である。
【請求項３】
本発明は、本体の包装用袋（１）の形状にとらわれる事無く、周囲面にスリツト状面（１ａ）を設ける事で、留め部分（１ｂ）を形成した、請求項１、記載の包装用袋である。
【発明の詳細な説明】
【発明に属する技術分野】
【０００１】本発明は、包装用袋として使用する物品であり、一般に買い物をした際商品等を包装用袋に入れるが、商品物品等によっては、傾いたり倒れたりする事があり、物品等によってはとても不愉快な思いをした、本技術はこれらの事を防止する事に関する包装用袋である。
【背景技術】
【０００２】従来の、包装用袋（２）は本体の中央に留め部分（２ａ）を設けただけの包装用袋（２）である。
【発明が解決しょうとする課題】
【０００３】  従来の、包装用袋（２）は次のような欠点があった。
（１）、従来の包装用袋は、ただ商品を入れるだけの袋であり、よって例えばお弁当や、ペツトボトル等などの、大きさによっては、倒れてしまう事あった、また、弁当等によっては、中身の汁やご飯や、おかず等の具が一方に傾いたりして、食べる際とても不愉快な思いをしている。
（２）、当然、現在の使用されている包装用袋は中央上面だけに、留め部分（２ａ）が設けているので商品物品等（３）によっては、留めにくくバランスが悪く持ち運びに大変苦労している。
【課題を解決するための手段】
【０００４】本発明は、上記目的を達成するために、本発明の包装用袋においては、本体包装用袋（１）の前後左右面、上下に複数のスリツト状面（１ａ）を任意な形状で自在な位置に設けて、このスリツト状面（１ａ）と本体包装用袋（１）とで出来た部分を、留め部分（１ｂ）として設ける事でお商品物品等（３）を留め部分（１ｂ）を使用して互いに重ねて、テープ等（４）で止める事で商品物品等（３）を簡単に固定させる事が出来、さらに、本発明は商品等の種類にとらわれる事無く、使用する事が出来ると共に、従来の包装用袋としても使用を可能にした。
【本発明の実施の形態】
【０００５】図１において、本体包装用袋（１）の正面及び背面状にスリツト状面（１ａ）を任意な形状で自在な位置に適度な幅で複数左右に設けている、すなわち、商品物品等（３）のサイズによって最適位置に設けている、さらに、上面部にも、スリツト状面（１ａ）が同様に設けられている、この複数左右上下に設けている、このスリツト状面（１ａ）は接着部（１ｃ）にて本体包装用袋（１）に適度な間隔で設けられて一体構造としている、さらに本体包装用袋（１）の上部前後面左右に適度なサイズで留め部分（１ｄ）を設けている、また上面両端には取手（１ｅ）が構成されて一体とした本体包装用袋（１）である。
【０００６】図２にて示す別例は、本体包装用袋（１）の上部、取手（１ｅ）の左右間に留め部分（１ｄ）を任意な形状で設けている、この留め部分（１ｄ）は本体包装用袋（１）と一体に使用目的に合わあわせて一体構成されている、また本体包装用袋（１）の両サイド側面部にもスリツト状面（１ｇ）を設ける事で、留め部分（１ｆ）として使用可能としている、当然留め部分（１ｆ）は接着部（１ｃ）で本体包装用袋（１）と一体構成されている。
【０００７】図３に示す、実施例では本体包装用袋（１）に商品物品等（３）の〔例〕弁当を入れた状態で留め部分（１ｂ）を本体包装用袋（１）から切りは外し、商品物品等（３）弁当の上から交合に重ね合わせて、テープ等（４）を用いて付着させる事で固定させる事が出来る。
【０００８】図４は、本発明の本体包装用袋（１）の側面図において、スリツト状面（１ｇ）を設けた事で当然留め部分（１ｆ）を設る事が出来る、また接着部（１ｃ）によって本体包装用袋（１）と留め部分（１ｆ）は一体構成されている。
【図面の簡単な説明】
【図１】本発明の包装用袋の正面を示す立体図である。
【図２】本発明の上部面に留め部分を設けた状態の正面を示す立体図である。
【図３】本発明の、使用状態を商品物品等で弁当を固定した状態を示す上部面を破断した立体断面図である。
【図４】本発明の、側面図である。
【図５】従来の、一般的な包装用袋の正面図である。
【符号の説明】
１、  本体包装用袋
１ａ，スリツト状面
１ｂ，留め部分
１ｃ，接着部
１ｄ、留め部分
１ｅ、取手
１ｆ、留め部分
１ｇ、スリツト状面
２、  従来の包装用袋
３、  商品物品等
３ａ、中身の具等
４、  テープ等
５、  使用者等の表示
【図１】
2007055680.tif 000003
【図２】
2007055680.tif 000004
【図３】
2007055680.tif 000005
【図４】
2007055680.tif 000006
【図５】
2007055680.tif 000007
(57)【要約】【課題】使用したポーションパックをテーブル等に置いた時、注ぎ口からこぼれ垂れ流れた液がそれらを汚す難点があった。その液を受け止める為に受け皿付きのポーションパックを提供する。【解決手段】本発明は、ミルク、ガムシロップ、ドレッシング等に用いるポーションパック１のポーションパック底部分２に受け皿３を設け、垂れ流れる液体を受け止めるようにしたものである。また、底部分が広がった事により安定性も増した。【選択図】図２
2007055679.tif 000002
【特許請求の範囲】
【請求項１】
底の部分に受け皿を設けたことを特徴とするポーションパック。
【発明の詳細な説明】
【技術分野】
【０００１】本発明は、ミルク、ガムシロップ、ドレッシング等に用いるポーションパックの底部分に受け皿を設け、垂れ流れる液体を受け止めるようにしたものである。また、底部分が広がった事により安定性も増した。
【背景技術】
【０００２】従来は、受け皿の付いたポーションパックはなかった。【０００３】
【特許文献１】特開２００３−１９２０３６号公報
【発明の開示】
【発明が解決しようとする課題】
【０００４】従来のポーションパック入りのミルク、ガムシロップ、ドレッシング等の液を注ぎ、使用したポーションパックをテーブル等の上に置いた時、ポーションパックの注ぎ口等に残った液が垂れ流れテーブル等を汚す難点があった。本発明は、この課題を解消するためになされたものである。
【課題を解決するための手段】
【０００５】ポーションパック底部分２に、注ぎ口から垂れ流れる液を受け止める受け皿３を設けたことを特徴とするポーションパックである。
【発明の効果】
【０００６】ポーションパックに入ったミルク、ガムシロップ、ドレッシング等の液体を注ぎ終え、使用したポーションパックをテーブル等に置いた時、注ぎ口から垂れ流れた液は受け皿３に溜まり、テーブル等が汚れる難点がなくなった。また、底部が広くなった事でポーションパックに、より転げない安定性も増した。
【発明を実施するための最良の形態】
【０００７】この発明の実施形態を、図２に示す。
ポーションパット底部分２の外周に、同素材の丸みを帯びた受け皿３が一体的に設けられている。この受け皿３には液がこぼれないのと、誤って指等が切れにくいように丸みを帯びている。
【実施形態の効果】
【０００８】この実施形態によれば、受け皿３の働きで注ぎ口から垂れ流れた液が受け皿３に溜まり、使用後のポーションパットを置いたテーブル等を汚さない。また、受け皿３があることで底部分２が広がり、転げない安定性も増し、丸みを帯びていることで液がこぼれにくく、指等が切れにくい。
【図面の簡単な説明】
【０００９】
【図１】本発明の斜視図である。
【図２】本発明の断面図である。
【符号の説明】
【０００９】１  ポーションパック本体
２  ポーションパック底部分
３  受け皿
【図１】
2007055679.tif 000003
【図２】
2007055679.tif 000004
(57)【要約】【課題】  インクリボンを巻回するインクリボンコアの軸部にフランジを容易に取り付けることができ、かつ、フランジが外れず、軸部とフランジとが一体となって回転するインクリボンコアを提供する。【解決手段】  インクリボンが巻回される軸部と前記軸部の両端部に形成されたフランジとからなるインクリボンコアにおいて、前記フランジに複数の弾性変形可能な腕部を備え、前記腕部の先端部に前記軸部と嵌合する突起を設けたことを特徴とするインクリボンコア。【選択図】    図１
2007055154.tif 000002
【特許請求の範囲】
【請求項１】
インクリボンが巻回される軸部と前記軸部の両端部に形成されたフランジとからなるインクリボンコアにおいて、前記フランジに複数の弾性変形可能な腕部を備え、前記腕部の先端部に前記軸部と嵌合する突起を設けたことを特徴とするインクリボンコア。
【発明の詳細な説明】
【技術分野】
【０００１】
本発明は、印刷用インクリボンが巻回されるインクリボンコアに関する。
【背景技術】
【０００２】
従来、同一のプリンターで幅の異なるインクリボンを使用することがある。この場合、それぞれのインクリボン幅に合った個別のインクリボンコアを複数準備したり、特許文献１のように、インクリボン幅に応じてロール規制板を取り付ける調節周溝の位置を変えて、種々のリボン幅に対応していた。また、図３に示すようにインクリボンコア１１の軸部１２の外周面に溝１３を２箇所設け、別体のリング状のフランジ１５の内周に設けられた凸部１７をそれぞれの溝１３に無理やり押し込んで軸部１２にフランジ１５を取り付けて、両フランジ１５間の寸法を該当インクリボン幅に合わせていた。
【特許文献１】特開平１０−６７１５１号公報
【発明の開示】
【発明が解決しようとする課題】
【０００３】
しかし、このようにすると、複数のインクリボン幅に合ったインクリボンコアを個別に準備する必要が生じ、また、インクリボンコアの軸部の外周面に溝を設ける場合には、溝の深さ寸法が浅いと取り付けたフランジ内周の凸部との係り代が小さくフランジが外れ易いという問題が生じる。そこで、溝の深さ寸法を深くしてフランジ内周の凸部との係り代を大きくするとフランジは外れにくくなるが、軸部にフランジを取り付ける場合、溝にフランジの凸部を無理やり大きな力で押し込まなければならないという問題も生じる。
【０００４】
また、軸部の外周に設けられた溝と凸部とは単に遊嵌されているので、軸部が回転するとフランジ内面の凸部は溝内を摺動して、軸部とフランジとが一体に回転しない場合もある。従って、インクリボンコアを回転させてインクリボンを巻き込む時、フランジがその場でスリップして回転せず軸部に巻き込まれるインクリボンの端面とフランジ内表面との間で摩擦が発生するという問題も生じる。
【０００５】
本発明は、上記の点に鑑み、インクリボンを巻回するインクリボンコアの軸部にフランジを容易に取り付けることができ、かつ、フランジが外れず、軸部とフランジとが一体となって回転するインクリボンコアを提供することを目的とする。
【課題を解決するための手段】
【０００６】
本発明は、インクリボンが巻回される軸部と前記軸部の両端部に形成されたフランジとからなるインクリボンコアにおいて、前記フランジに複数の弾性変形可能な腕部を備え、前記腕部の先端部に前記軸部と嵌合する突起を設けたことを特徴とするインクリボンコアによって課題を解決した。
【発明の効果】
【０００７】
本発明によれば、フランジを軸部に取り付ける場合は、フランジを軸部の端部から軽く押し込むだけで、フランジの複数の腕部が弾性変形して、腕部の先端部の突起が、軸部のＬ字状の溝中を摺動して行き溝先端の穴部と嵌合するので、フランジと軸部とが一体に結合される。よって、インクリボンを巻回するインクリボンコアの軸部にフランジを容易に取り付けることができ、かつ、フランジが外れたり、回転することもない。
【発明を実施するための最良の形態】
【０００８】
以下に、本発明の実施形態を図１と図２とに基づき説明する。図１はインクリボンコア１の軸部長さよりも少し小さい幅のインクリボン（図示せず）をインクリボンコア１に巻回する場合で、軸部２の両端側の端部に対向した二箇所にＬ字状の溝３が設けられている。一方フランジ５には、Ｌ字状の溝３の先端の穴部に嵌合する突起を備えた弾性変形する腕部６が対向した二箇所に設けられ、プリンター側の駆動軸（図示せず）が通過できる穴９が備えられている。フランジ５の二箇所の腕部６が軸部２の二箇所のＬ字状の溝３に嵌まり込むことにより、更に軸部２の両端部の内周面に設けられた凹み状の段部とフランジ５の穴９の周面に設けられた凸状の段部とが互いに嵌合することにより、軸部２とフランジ５とは堅固に結合されて一体のインクリボンコア１を形成される。また、インクリボンコア１の内径にはプリンター側の駆動軸と係合するリブ４が四箇所設けられている。
【０００９】
図２はインクリボンコア１の軸部長さの約１／２の幅のインクリボンをインクリボンコア１に巻回する場合で、図１と同じ軸部２に、フランジ５の一方面に複数の三角形状の補強板８を備えたフランジ５を両側から嵌合することで、幅の狭いインクリボンにも軸部２は共通でフランジ５を換えるだけで対応可能となる。もちろん、インクリボンコア１の軸部２のＬ字状の溝３の先端の穴部に嵌合するフランジ５の突起７は、図１と同様に対向した二箇所に設けられた弾性変形する腕部６の先端に備えられ、プリンター側の駆動軸が通過できる穴９も備えられている。また、インクリボンコア１の内径にはプリンター側の駆動軸と係合するリブ４が四箇所設けられているのも同様である。
【００１０】
なお、本発明のインクリボンコアは上記の実施形態に限定されない。インクリボンコアのＬ字状の溝の長さは、各インクリボンの幅に合った寸法にすればよく、各種のインクリボンに適用される。
【図面の簡単な説明】
【００１１】
【図１】本発明のインクリボンコアの図面（コア長さより少し小さい幅のインクリボンを巻くインクリボンコア）
【図２】本発明のインクリボンコアの図面（コア長さの約１／２の幅のインクリボンを巻くインクリボンコア）
【図３】従来のインクリボンコアの図面
【符号の説明】
【００１２】
１  インクリボンコア
２  軸部
３  Ｌ字状の溝
４  リブ
５  フランジ
６  腕部
７  突起
８  補強板
９  穴
１１  インクリボンコア
１２  軸部
１３  溝
１４  リブ
１５  フランジ
１７  凸部
【図１】
2007055154.tif 000003
【図２】
2007055154.tif 000004
【図３】
2007055154.tif 000005
(57)【要約】      （修正有）【課題】激しい腫れにもかなり効きカユミも短時間で治まる虫さされ治療薬の提供。【解決手段】主な成分はクロタミトン、リドカイン、ｌーメントール、ｄｌーカンフル、硝酸ミコナゾール、甘草エキス、酢酸デキサメタゾン、グリチルリチン酸ニカリウム、塩酸ジフェンヒドラミン、尿素、イソプロピルメチルフェノール、その他添加物はステアリルアルコール、    ステアキシビニルポリマー、プロピレングリコール、ジイソプロパノールアミン、ポリソルベート６０、メチルセルロース、１、３ーブチレングリコール、ポリオキシエチレンノニルフェニルエーテル自己乳化型ステアリン酸グリセリン、ピロ亜硫酸Ｎａ、アクリル酸メチル、ポリオキシエチレン硬化ヒマシ油、エデト酸Ｎａ、ＢＨＴ、リン酸水素Ｎａ、ジメチルポリシロキサン、アジピン酸ジイソプロピルを含有したクリーム状の治療薬その他スプレー式などの虫さされ治療薬。【選択図】    図１
2007055988.tif 000002
【特許請求の範囲】
【請求項１】
蚊や小さなアブラムシやダニなどによる虫さされの腫れによる痛みやかゆみやかまけた部分の熱を取り一刻も早く元の正常な状態に戻す為のスーパー虫さされ治療薬である。
又その虫さされ治療薬の成分はクロタミトン、リドカイン、ｌーメントール、ｄｌーカンフル、硝酸ミコナゾール、酢酸デキサメタゾン、グリチルリチン酸ニカリウム、塩酸ジフェンヒドラミン尿素、甘草エキス、イソプロピルメチルフェノール、等が主な成分であり、その他の添加物としてステアリルアルコール、ステアリン酸ソルビタン、オクチルドデカノール、セタノール、カルボキシビニルポリマー、プロピレングリコール、ジイソプロパノールアミン、ポリソルベート６０、メチルセルロース、１、３ーブチレングリコール、ポリオキシエチレンノニルフェニルエーテル、自己乳化型ステアリン酸グリセリン、ピロ亜硫酸Ｎａ、アクリル酸メチル、ポリオキシエチレン硬化ヒマシ油、エデト酸Ｎａ、ＢＨＴ、リン酸水素Ｎａ、ジメチルポリシロキサン、アジピン酸ジイソプロピル、を含有し全て必要な成分であり添加物である。
【発明の詳細な説明】
【発明の詳細な説明】
【技術分野】
【０００１】本発明は医薬品に属するものである。
【背景技術】
【０００２】従来の虫さされ治療薬は塗ってもなかなかすぐにはカユミや熱をもった腫れが治まらないものである。
【発明が解決しようとする課題】
【０００３】蚊や小さなアブラムシやダニなどに咬まれても虫さされの薬をぬると、熱をもった腫れの熱を取り除きカユミも忘れ咬まれたのを忘れる虫さされの治療薬を提供するものである。
【０００４】この虫さされの治療薬には皮膚病にも効果がある硝酸ミコナゾール、グリチルリチン酸ニカリウム、イソプロピルメチルフェノール、甘草エキス、などの殺菌力効果を利用した基礎化粧品やメイク化粧品を作り提供できるものである。
【０００５】虫さされ治療薬の成分入りの化粧水やクリームや乳液やファンデーションを製品化できるものである。
【０００６】この虫さされ治療薬は抵抗力の弱い高齢者や赤ちゃんなどの虫さされに威力を発揮するもので、激しい腫れにもかなり効きカユミも短時間で治まるものである。
【課題を解決するための手段】
【０００７】虫さされによる腫れやカユミや痛みを短時間で押さえ元の正常な状態により近い状態にする為の必要な成分はクロタミトン、リドカイン、ｌーメントール、ｄｌーカンフル、硝酸ミコナゾール、酢酸デキサメタゾン、グリチルリチン酸ニカリウム、塩酸ジフェンヒドラミン、尿素、甘草エキス、イソプロピルメチルフェノール、などの主な成分を使用するものである。
又その他の添加物としてステアリルアルコール、ステアキシビニルポリマー、プロピレングリコール、ジイソプロパノールアミン、ポリソルベート６０、メチルセルロース、１、３−ブチレングリコール、ポリオキシエチレンノニルフェニルエーテル、自己乳化型ステアリン酸グリセリン、ピロ亜硫酸Ｎａ、アクリル酸メチル、ポリオキシエチレン硬化ヒマシ油、エデト酸Ｎａ、ＢＨＴ、リン酸水素Ｎａ、ジメチルポリシロキサン、アジピン酸ジイソプロピルを含有したクリーム状の治療薬その他スプレー式などの虫さされ治療薬を提供するものである。
【０００８】上記成分及び添加物を含んだクリームや軟膏や化粧品を提供することにより化粧品にあった成分を選択することにより皮膚病にも効く化粧品を提供できるものである。
【発明を実施するための最良の形態】
【０００９】軟膏やクリームやスプレー式の虫さされ治療薬及び皮膚病にも効く化粧水などの基礎化粧品やメイク化粧品として市場に提供するものである。
【発明の効果】
【００１０】蚊や虫によるカユミや腫れもこの虫さされ治療薬をぬることによりいとも簡単にその症状を忘れるくらいの効果が得られるものであり早い場合はぬって１５分ぐらいで咬まれた部分の赤みも消えるものである。
【００１１】この虫さされ治療薬の成分や添加物の配合や化粧品の配合はそれぞれの目的にあった配合をし、バランスをとった成分配合や添加物配合をするものである。
【図面の簡単な説明】
【図１】虫さされ治療薬の成分表
【図２】虫さされ治療薬の添加物表
【図３】虫さされによる腫れをおさえる成分表
【符号の説明】
なし
【図１】
2007055988.tif 000003
【図２】
2007055988.tif 000004
【図３】
2007055988.tif 000005
(57)【要約】【課題】  食べても飲み込んでも害が無いゼリー、従来品に比べ極めて安全性が高い粘性潤滑ゼリー剤を提供し、安全性の高いラブゼリーや髭剃りゼリーの製造普及に貢献する。【解決手段】  食品添加剤であるカルボキシメチルセルロースナトリュウム（ＣＭＣ）を用いた粘性食品素材に、プロピレングリコール３０％安息香酸ナトリュウム１８．３％パラオキシ安息香酸プチル２．５％食品素材４９．２％の混合液を０．３８％混入して成る、食しても安全である事を特徴とする粘性潤滑ゼリー剤を提供する。【特許請求の範囲】
【請求項１】
食品添加剤であるカルボキシメチルセルロースナトリュウム（ＣＭＣ）を用いた粘性食品素材に、プロピレングリコール３０％安息香酸ナトリュウム１８．３％パラオキシ安息香酸プチル２．５％食品素材４９．２％の混合液を０．３８％混入して成る、食しても安全である事を特徴とする粘性潤滑ゼリー剤。
【発明の詳細な説明】
【技術分野】
【０００１】  本発明は、食品素材に食品安全基準を満たした物質で、食べても健康を害することが無い安全性を特徴とする、粘性潤滑ゼリー剤に関する。
【背景技術】
【０００２】  従来の諸々粘性潤滑ゼリー剤は、その扱い方を誤って、うっかり飲み込んだりすると、それらに含まれる有害な物質により健康を害する恐れがあった。【０００３】  例えば、従来のラブゼリーやラブクリームにおいて、例えば髭剃り用ゼリーやクリームにおいて、うっかり飲み込んだりすると、それらに含まれる有害な物質により健康を害する恐れがあった。
【発明の開示】
【発明が解決しようとする課題】
【０００４】  使用する目的によっては、その粘性湿潤ゼリー剤の成分は、極めて安全性が高い物質で無ければ成らない。
故に本発明は、極めて安全性の高い粘性潤滑ゼリーの製法を提供する。
【課題を解決する為の手段】
【０００５】  食品添加剤としてのカルボキシメチルセルロースナトリュウム（ＣＭＣ）を混入した粘性食品素材に、プロピレングリコール３０％安息香酸ナトリュウム１８．３％パラオキシ安息香酸プチル２．５％食品素材４９．２％の混合液を０．３８％混入して成る、食べても無害を特徴とする粘性潤滑ゼリー剤の提供をする。
【発明の効果】
【０００６】  食品ではないが、食べても飲み込んでも健康上全く無害な物質で作られた本発明は、ラブゼリーや髭剃りゼリーに使用すると、それらゼリー愛用者にとって安心安全の福音が得られる。
本発明品は極めて安全性に優れているから、この機会に積極的にゼリー使用を普及させ、性交時の安全な擦り傷防止剤と滑らかで快適な性行為助成剤として、安全な髭剃りゼリー剤として、甘味料や果実等を加えたマーマレードやジャム用のゼリー剤として、多くの愛用者の期待に応え得る。
【発明を実施するための最良の形態】
【０００７】  食品添加剤であるカルボキシメチルセルロースナトリュウム（ＣＭＣ）を用いた粘性食品素材に、プロピレングリコール３０％安息香酸ナトリュウム１８．３％パラオキシ安息香酸プチル２．５％食品素材４９．２％の混合液を０．３８％混入して成る、食しても安全である事を特徴とする粘性潤滑ゼリー剤。
【実施例１】
【０００８】  清潔な水に食品添加用ＣｍＣを混入した（市販のラブクリームと同程度の粘度にした）粘性液１００ｃｃに、食品安全基準に添うプロピレングリコール３０％安息香酸ナトリュウム１８．３％パラオキシ安息香酸プチル２．５％食品素材４９．２％の混合液を０．３８％混入して、ラブゼリーや髭剃りゼリーを製造し、容器に密封した。
【産業上の利用可能性】
【０００９】  安全性が高く、素材が安価である、扱い方がシンプルである、保存と携行に問題が無いなどの点を考慮すると、従来に無いトレンディーな魅力があり、上手に使うと安全なゼリーは生活必需品でも在るから、消費者のニーズに適合する新商品として、全国の隅々にまで流通させる事も容易である。
(57)【要約】【課題】  近年の住宅建築の特長として、施主は自らの健康問題を第一に考えるようになり、無垢材の志向が強くなってきている。しかし無垢材の性質上どんなに乾燥を充分に行なっても板の巾方向に動きが生ずるため、事前にこの動きを計算に入れて施工を行なわないと、施工後に割れたり口が開いたりして施工後の問題点となる。したがって無垢材の使用の経験の少ない工務店や設計事務所は集成材や合板製内装材を使用する傾向が強い。そこで無垢材で尚且つ製品の動きを最小減にととめた商品の開発を目的とする。【解決手段】  従来、木材の性質上、板の巾方向で１−０．５ｍｍ、長さ方向でミクロン単位で動くことは知られている。そこで木質無垢板材の厚み方向に接続可能な凹凸の加工を四方に施し、それを縦・横に組み、その一部を接着することによって、製品の一辺に対して板の巾方向のみの動きで抑えられ、製品全体はコンマ単位の動きで抑えられる。【選択図】  図２
2007055215.tif 000002
【特許請求の範囲】
【請求項１】
木質無垢板材の厚み方向に接続可能な凹凸の加工を四方に施し、それと同様な加工の６枚の板を縦・横に組み、その一部を接着することによって、木材の施工後の動きを最小限度にとどめる機能を持つ建築用内装パネル。
【発明の詳細な説明】
【技術分野】
【０００１】  本発明は、木質無垢材の動きを最小限にとどめる機能を持った建築用内装パネルに関するものである。
【背景の技術】
【０００２】  旧来の木質無垢内装用板材で使用後の木の動きに関しては、施工時にその動きの比率を見越して施工方法を考えながら使用されてきた。製品の中にその性能を持った商品は極めて少ないと言える。
【０００３】  このような中で木の動きを製品の機能の中で和らげようとした技術は、板の接合部分を改良したもの（特許文献１）や、木質内部を空洞化したもの（特許文献２）などがある。
【特許文献１】実開平０２−６８０２６
【特許文献２】特開２００３−２９１１１４
【発明の開示】
【発明が解決しようとする課題】
【０００４】  近年の住宅建築の特長として、施主は自らの健康問題を第一に考えるようになり、無垢材の志向が強くなってきている。この他無垢材には断熱効果・保湿効果・吸音効果などいろいろな良い特徴があるが、しかし無垢材の性質上どんなに乾燥を充分に行なっても板の巾方向に動きが生ずるため、事前にこの動きを計算に入れて施工を行なわないと、施工後に割れたり口が開いたりして施工後の問題点となる。したがって無垢材の使用の経験の少ない工務店や設計事務所は集成材や合板製内装材を使用する傾向が強い。そこで無垢材で尚且つ製品の動きを最小減にととめた商品の開発を目的とする。
【課題が解決するための手段】
【０００５】  従来、木材の性質上、板の巾方向で１−０．５ｍｍ、長さ方向でミクロン単位で動くことは知られている。そこで板を縦横に組むことによって製品の一辺に対して板の巾方向のみの動きで抑えられることが出来れば、より動きの少ない製品となる。
【０００６】  第一段階として図１のように木板の厚み方向に接続可能な凹凸の加工を四方に施する。従来は木板を接合してパネル化する場合、板の巾方向の接合部分全体を接着して行なってきたが、これでは木の動きを製品の中に吸収することができない。そこで木板の厚み方向に接続可能な凹凸の加工を四方に施すことによって板１枚１枚の動きを製品の中に吸収することが可能になる。木板の厚みは１２ｍｍ−１５ｍｍが適当と考える。凹凸の加工は一般に使用されている本実加工が経済的にも簡単であるが、厚みを３段に分けている底部の部分で板が密着する形状が良いと考える。これは底部の部分で接着させることによって接着剤（木工用ボンド）の接着ムラが目立たなく、又表面に接着剤が出ることを避けることが出来る為である。
【０００７】  第２段階として図２のように図１のように加工した６枚の板材を縦横にパネル状に組む。  これによりパネルの巾に関係なく製品の一辺に対して板の巾方向のみの動きで抑えることができ、動きの誤差はコンマ単位にとどめることができる。
【０００８】  第３段階として図３のように、木板の動きに最も支障のきたさないところで接着することにより（図面の二重線の部分の一部を糊付けする）商品として一つの形態を持ち、又その木板の動きを分散することが出来る。その接着方法は板の小口と側面を接着するときは小口の板厚の底部で板巾の中央部に市販用の木工用ボンド又はそれに類する接着剤を必要最低量で貼り付ける。側面同士２枚の板を張る場合は、離れない程度に貼り付ける。以上のような使用方法で行なうと接着剤による環境汚染はほとんど考えられない。
【発明の効果】
【０００９】  この発明より今まで無垢材の最大の欠点とされていた木材の動きを最小限度にとどめることになる。そのことによって施工後の木の動きの問題を解決することが出来てる。また、出来た製品も厚み方向に接続可能な凹凸の加工を四方に施しており、連続して張っていけて施工が簡単である。
【発明を実施するための最良の形態】
【００１０】  実際に使用する最良の形態として、パネルの強度面から考えて、厚み方向に接続可能な凹凸の加工する板の厚さは図４のように１４ｍｍとし、表面より５．０ｍｍ、４．５ｍｍ、４．５ｍｍに三等分する。  パネルの大きさは、日本の建築形式上、大きく関東間と関西間に分かれるが関東間で説明していくと、柱の中心から中心まで１．８２ｍ（６尺）になり、これを偶数で割れて、尚且つ持ち運びの便利な大きさとして４５５ｍｍ角（関西間では４８５ｍｍ）を最良の形態とする。この形状のものに組み立てる為には図５のように、縦２４２ｍｍ．横１２１ｍｍ．を２枚、縦３４９ｍｍ．横１０６ｍｍ．を４枚、（関西間では縦３６４ｍｍ．横１２１ｍｍ．を４枚、）の６枚を組み上げるとよい。これにより施工後の動きを最小減にとどめられる。また図６のように２種類の様式に組み上げて、互い違いに張っていくことにより施工面全体がモザイク模様になりデザイン的にも美的感覚を備えたものになる。
【産業上の利用可能性】
【００１１】  本発明の目的は基本的に施工後の無垢材の動きを最小限に止めることを課題としているが、その出来上がった製品は美的なデザインでも優れたものを持っている。今後、組み合わせを変えて別のデザインの商品にも利用可能である。
【図面の簡単な説明】
【図１】本発明に使用する無垢材の形状を示す図
【図２】本発明の組み上がった建築用内装パネルを示した図
【図３】本発明の建築用内装パネルの接着個所を示す図
【図４】最良の形態で用いた無垢板材の断面図
【図５】最良の形態での関東間の場合の寸法図
【図６】最良の形態での２種類の組み合わせのパターン図
【図１】
2007055215.tif 000003
【図２】
2007055215.tif 000004
【図３】
2007055215.tif 000005
【図４】
2007055215.tif 000006
【図５】
2007055215.tif 000007
【図６】
2007055215.tif 000008